(57)【要約】【課題】吸込口体に複数の吸込口を設け、それら各々の吸込口を、複数の床面での各々の掃除に応じて、選択使用できるようにした電気掃除機を提供する。【解決手段】吸込口本体２０１の左右方向中央部には、別吸込口通路２１１の厚み方向の距離を左右両側より小さくするため、仕切壁２０９より厚めの仕切壁２１２が設けられている。これにより、別吸込口通路２１１の中央部にある別吸込口通路２１１ａよりも、前方の左右両側から集中口２１０につながる別吸込口通路２１１ｂの方が、厚み方向の空間距離が大きくなっている。【選択図】      図１１
2004173759.tif 000002
【特許請求の範囲】
【請求項１】
電動送風機の運転によって発生する気流とともに塵埃を吸込口本体の吸込口から吸い込み、吸い込んだ気流を集塵装置に導入して塵埃を捕集する電気掃除機において、
前記吸込口本体に複数の吸込口を設け、該複数の吸込口各々に通じる吸込口通路各々の少なくとも一つに、その吸込口の所定の位置に於ける通風量を調節する調節手段を設けたことを特徴とする電気掃除機。
【請求項２】
前記複数の吸込口を切り替え使用する吸込口切替装置を設けたことを特徴とする請求項１に記載の電気掃除機。
【請求項３】
前記調節手段は、これを設けた前記吸込口通路の厚み方向の空間距離を、所定の位置で異ならせるようにしてなることを特徴とする請求項１又は請求項２に記載の電気掃除機。
【請求項４】
前記吸込口通路の吸込口左右両側から奥側につながる部分の厚み方向の空間距離を、他の部分より大きくしたことを特徴とする請求項３に記載の電気掃除機。
【請求項５】
前記調節手段を設けた前記吸込口通路とこれに隣接する吸込口通路との仕切壁は、該隣接する吸込口通路側の仕切壁面が左右方向について直線状態であることを特徴とする請求項３又は請求項４に記載の電気掃除機。
【請求項６】
前記吸込口通路の吸込口側よりも奥側の方が厚み方向で大きいか或いは同じであることを特徴とする請求項３〜請求項５のいずれかに記載の電気掃除機。
【発明の詳細な説明】
【０００１】
【発明の属する技術分野】
本発明は、電気掃除機の吸込口部の構成に関するものである。
【０００２】
【従来の技術】
電気掃除機においては、電動送風機の運転によって発生する気流とともに塵埃を吸込口から吸い込み、吸い込んだ気流を集塵装置に導入して塵埃を捕集する。従来より、この種の電気掃除機としては、吸込口本体に吸込口を設けたものがある（例えば、特許文献１参照）。
【０００３】
【特許文献１】
特開平８−１６４０９５号公報
【０００４】
【発明が解決しようとする課題】
しかしながら、上記特許文献１に記載されているような構成では、吸込口が単体であるため、カーペット，板の間，畳等の複数の床面各々に、個別に適応した吸込特性の設定ができないという問題があった。本発明は、このような問題点に鑑み、吸込口体に複数の吸込口を設け、それら各々の吸込口を、複数の床面での各々の掃除に応じて、選択使用できるようにした電気掃除機を提供することを目的とする。
【０００５】
【課題を解決するための手段】
上記目的を達成するために、本発明では、吸込口本体に複数の吸込口を設け、その複数の吸込口各々に通じる吸込口通路各々の少なくとも一つに、その吸込口の所定の位置に於ける通風量を調節する調節手段を設けたことを特徴とする。また、前記複数の吸込口を切り替え使用する吸込口切替装置を設けたことを特徴とする。
【０００６】
このように、吸込口を複数個設けることにより、異なる用途に応じた吸込特性を、一つの吸込口本体において設定することができるとともに、吸込口の所定の位置に於ける通風量を調節する手段を前記通路に設けたことにより、その通路に通じる吸込口の各位置での風速を均一にすることができ、むらのない吸い込みが可能となり、吸込性能が向上する。また、左右両端の風量を増加させるように設定すると、吸込口を吸込口本体の左右両端まで設けることができない場合であっても、吸込口本体の左右両端の領域まで塵を吸い込むことができるようになり、吸込口本体の吸込性能が向上する。
【０００７】
具体的には、吸込口通路の前方から上方を通る別吸込口通路に、別吸込口の所定の位置に於ける通風量を調節する手段を設けることにより、通路の長い領域で無理なく徐々に前記の通風量を調節することができ、ロスの少ない通風量調節が可能となり、更に吸込性能の向上を図ることができる。
【０００８】
また、前記調節手段は、これを設けた前記吸込口通路の厚み方向の空間距離を、所定の位置で異ならせるようにしてなることを特徴とする。これにより、比較的に通風過程を長く設定できる吸込口通路や別吸込口通路で通風量が調節できるとともに、通路の厚み方向を異ならせて通風量を変えるため、通風路は連通した一つの空間となり、障害物もないので、ロスの少ない通風量調節が可能となり、更に吸込性能の向上を図ることができる。
【０００９】
また、前記吸込口通路の吸込口左右両側から奥側につながる部分の厚み方向の空間距離を、他の部分より大きくしたことを特徴とする。これにより、吸込口本体の両側の通風量が増加して、吸込口を吸込口本体の巾より少ない巾に設定することができ、吸込口本体の残りの巾の部分を補強部分とすることができるので、衝撃強度のある吸込口本体が得られる。
【００１０】
また、前記調節手段を設けた前記吸込口通路とこれに隣接する吸込口通路との仕切壁は、その隣接する吸込口通路側の仕切壁面が左右方向について直線状態であることを特徴とする。これにより、吸込口通路の通風状態を別吸込口通路の変化に関係なく設定でき、吸込口および別吸込口を自在に設定できるため、更に各々の吸込口が吸込目的に合っている吸込口本体が容易に得られる。加えて、吸込口本体の別吸込口通路側外観を、凹凸のない滑らかな表面とすることができ、デザイン的に安定感のある吸込口本体が得られる。
【００１１】
また、前記吸込口通路の吸込口側よりも奥側の方が厚み方向で大きいか或いは同じであることを特徴とする。これにより、該当する前記各々の吸込口通路でのゴミ詰まりの少ない吸込口本体が得られる。
【００１２】
【発明の実施の形態】
以下、本発明の第１実施形態である電気掃除機１の構造を図１〜図１２に基づき説明する。なお電気掃除機１の構造を説明するにあたり、電気掃除機１を前に置き、その後に使用者が立って電気掃除機１を操作するという形で使用者が立つ側が電気掃除機１の後方側、その反対側を電気掃除機１の前方側（正面側）と定義する。左右に関しては、電気掃除機１を前方（正面）から見たとき、観察者の左手側を電気掃除機１の左側、その反対側を電気掃除機１の右側と定義する。
【００１３】
電気掃除機１はアップライトタイプで、大きく二つの部分に分かれる。その一つは掃除機本体１０であり、他の一つは吸込口体７０である。吸込口体７０を形づくるシェル（例えば合成樹脂成型品からなる）は次のような構造を有する。まず中央に平箱状の中央シェル７１があり、その左右に側部シェル７２、７３の部分が設けられる。側部シェル７２、７３の後部は中央シェル７１よりも後方に突き出し、後方突出部７４、７５を形成している。吸込口体７０は全体としてコの字形の平面形状を有し、後方突出部７４、７５の間に掃除機本体１０を受け入れる。
【００１４】
掃除機本体１０は二つのシェル部分から形づくられている。その一つは円筒形の送風機シェル１１、他の一つは送風機シェル１１から突出する集塵装置保持部１２である。送風機シェル１１の内部には電動送風機１３が配置される（図２参照）。電動送風機１３の軸線は送風機シェル１１の軸線と略平行で、共に略水平状態にある。
【００１５】
送風機シェル１１は軸線を略水平状態にして吸込口体７０の後方突出部７４、７５の間に配置され、その軸線上に配置した支軸を後方突出部７４、７５に嵌合させている。後方突出部７４の側では送風機シェル１１の端面から突出する支軸１４が後方突出部７４に設けた軸受部７６に軸支される。後方突出部７５の側では電動送風機１３のモータ軸の延長である駆動軸１５が後方突出部７５の中に入り込む。この駆動軸１５を包む筒状の支軸（図示省略）を送風機シェル１１の端面から突出させ、この筒状の支軸を後方突出部７５に設けた軸受部７７に軸支させる。これら左右の支軸により送風機シェル１１は水平軸線まわりに回動できるよう吸込口体７０に連結される。
【００１６】
集塵装置保持部１２は中空で、全体として細長い、すなわち長手方向を有する形状となっており、その長手方向は送風機シェル１１の軸線と略直角状態にある。集塵装置保持部１２の突出位置は送風機シェル１１の中央ではなく、左右いずれかに偏っている。第１実施形態では送風機シェル１１の左側から集塵装置保持部１２が突出する。
【００１７】
集塵装置保持部１２の一側には後述する集塵装置の底部及び頂部を支える台座部１６及びオーバーハング部１７を設ける。台座部１６は送風機シェル１１より立ち上がる形で設けられており、オーバーハング部１７は集塵装置保持部１２の側面に形成されている。台座部１６とオーバーハング部１７は送風機シェル１１の上方空間に位置を占める。すなわち集塵装置保持部１２の右側に位置する。台座部１６とオーバーハング部１７の間には後述する集塵装置の左半分を後から支える後部支持壁１８が設けられる（図３参照）。後部支持壁１８は集塵装置保持部１２の側面に形成される。
【００１８】
２０は集塵装置である。集塵装置２０は細長い円筒形のダストカップ２１の中で気流を高速旋回させてサイクロン方式で塵埃を捕集するものである。図２に見られるようにダストカップ２１の内部は水平隔壁２２により上下２室に区画される。下方の区画は遠心分離室２３、上方の区画は排気室２４である。
【００１９】
遠心分離室２３の一側には流入口２５が設けられる。流入口２５は遠心分離室２３の内周壁に沿って旋回気流を生じさせるような位置と角度に設定される。
【００２０】
遠心分離室２３の中心には排気筒２６が配置される。排気筒２６は下面が閉じ、上面が開口となった円筒形の籠状部材であって、水平隔壁２２の中心に形設した通気口２７に上面開口部を接合し、水平隔壁２２から垂下する形で支持される。排気筒２６の外周面にはナイロン等の合成繊維で織った細かいメッシュのフィルター２８が貼着される。
【００２１】
排気筒２６の下端にはスタビライザー２９が装着される。スタビライザー２９は４枚の翼片を放射状に組み合わせ、水平断面を十字形としたものであり、その先端はダストカップ２１の底面近くまで届く。スタビライザー２９は気流からの塵埃の分離を促進し、またダストカップ２１の底に溜まった塵埃の動きを抑制する働きをする。
【００２２】
ダストカップ２１の中の塵埃を捨てたり、フィルター２８の掃除を行ったりするため、集塵装置２０には適宜の手法でアクセス開口を設ける。アクセス開口は例えば、ダストカップ２１の上部を開口として蓋で覆い、蓋を開けばそこから水平隔壁２２もろとも排気筒２６とスタビライザー２９を引き抜けるようにするといった構造で実現できる。あるいは排気室２４の部分を集塵装置２０の本体、遠心分離室２３の部分を本体に対し着脱可能なダストカップと、集塵装置２０を上下分割構成とすることによっても実現できる。
【００２３】
排気室２４には流出口３０が形設される。図３に見られるように、流入口２５と流出口３０は集塵装置２０の集塵装置保持部１２に対面する側の側面に設けられる。流入口２５と流出口３０は同じ方向、すなわち略左方を向く。
【００２４】
集塵装置２０の流入口２５に対しては第１の通気路３１が設けられ、流出口３０に対しては第２の通気路３２が設けられる。第１の通気路３１は吸込口体７０の吸込口（詳細は後述する）に連通するものであり、吸込口から吸い込んだ気流を流入口２５に導く。第２の通気路３２は電動送風機１３の吸入口に連通するものであり、流出口３０から出た気流を電動送風機１３に導く。
【００２５】
第１の通気路３１の主たる部分はフレキシブルホース３３によって構成される。フレキシブルホース３３の一端は集塵装置保持部１２に水平に設けた接続管３４（図３参照）の一端に固定される。接続管３４の他端が第１の通気路３１の出口３５となり、ここに集塵装置２０の流入口２５が接続する。流入口２５接続時の気密を保つため、出口３５にはシールリング３６が装着されている。フレキシブルホース３３の他端は吸込口体７０の側部シェル７２の上面に突出した接続管７８に着脱自在に嵌合する。接続管７８は吸込口に連通している。
【００２６】
なお第１の通気路３１の主たる部分をフレキシブルホース以外の管状体によって構成することもできる。例えば複数本の硬質パイプを伸縮自在に接続したもので置き換えることもできる。要は掃除機本体１０を直立させたときと倒したときとの接続管３４と接続管７８の間の距離変動を吸収でき、且つ内部の圧力が大気圧より低下してもつぶれることのない管状体であればよい。
【００２７】
第２の通気路３２は集塵装置保持部１２の中空部自体によって構成される。この中空部の上部は隔壁１２ａ（図２参照）によって区切られ、従って第２の通気路３２はオーバーハング部１７の方には連通しない。集塵装置保持部１２の側面には、集塵装置２０の流出口３０に対応する位置に、第２の通気路３２の入口３７が形設される。流出口３０接続時の気密を保つため、入口３７にはシールリング３８が装着されている。
【００２８】
図２に見られるように、第２の通気路３２の下端は送風機シェル１１の底まで届く。この第２の通気路３２の下端の側壁に出口３９が設けられる。出口３９には電動送風機１３の吸入口１３ａが気密保持兼用の防振クッション４０を介して直接接続されている。
【００２９】
集塵装置２０は、その長手方向を集塵装置保持部１２の長手方向と一致させる形で集塵装置保持部１２に押しつける動作を通じ、集塵装置保持部１２への取付が遂行される。より具体的に言えば台座部１６及びオーバーハング部１７と後部支持壁１８とによって囲まれた空間に集塵装置２０を挿入する動作を通じて取付がなされるものである。
【００３０】
集塵装置２０の上端にはスライド式のラッチ４３が装着される。ラッチ４３は図示しないバネにより常時上方に押し上げられており、集塵装置２０の挿入の最終段階でオーバーハング部１７の縁に係合する。このようになると、前記図示しないバネに抗してラッチ４３を押し下げ、オーバーハング部１７から離脱させないかぎり、集塵装置２０を集塵装置保持部１２から取り外すことはできない。
【００３１】
台座部１６の内部は電動送風機１３が排気を行う排気空間５０に連通する。また台座部１６の中にはフィルター５１が挿入されている。フィルター５１は集塵装置２０のフィルター２８を通り抜けた細かい塵埃を捕集するため、例えば、フィルター２８よりもさらに濾過性能の高い、ＨＥＰＡ（ｈｉｇｈ−ｅｆｆｉｃｉｅｎｃｙ
ｐａｒｔｉｃｕｌａｔｅ  ａｉｒ）フィルター等を使用してもよい。
【００３２】
フィルター５１で塵埃を捕捉された気流は台座部１６の正面に形設された排気口５４から室内に戻る。排気口５４は水平なスリットを複数個、上下方向に並べて配置した形のものである。
【００３３】
オーバーハング部１７の内部には制御部６０が配置される（図２参照）。制御部６０と電動送風機１３とはリード線を介して接続される。制御部６０は電気掃除機１全体の動作を司るものである。オーバーハング部１７の上面前部は各種スイッチボタンの並んだ操作パネル部６１となる。オーバーハング部１７に操作パネル部６１を設けたので、操作がしやすい。
【００３４】
集塵装置保持部１２の先端には別成型のハンドル６２が固定される。送風機シェル１１の下面後部からは斜め下に向かってブラケット６３が突き出し、これに車輪６４が取り付けられる（図４参照）。車輪６４は送風機シェル１１の左右両端に１個ずつ設けられるものである。車輪６４の前方には支持脚６５が、これも左右１個ずつ形設される。集塵装置保持部１２を垂直に立てれば、掃除機本体１０は車輪６４と支持脚６５により床の上に４点支持される。
【００３５】
次に吸込口体７０の構造を説明する。前述の通り、吸込口体７０は平箱状の中央シェル７１の左右に側部シェル７２、７３の部分を設け、側部シェル７２、７３の後部を後方突出部７４、７５としたものである。中央シェル７１と側部シェル７２、７３は例えば合成樹脂により一体成型される。
【００３６】
中央シェル７１と側部シェル７２、７３の下面は開口となっており、底板８０がこの開口を閉ざす。底板８０の前方部分には複数の吸込口が形設される。底板８０の後方部分は後の方ほど高くなる斜面となっている。
【００３７】
第１実施形態では底板８０の前方部分に２個の吸込口が前後に並ぶ形で設けられる。第１の吸込口８１は左右に細長く、後述するベルト駆動部を除く吸込口体７０の幅にほぼ等しい幅を有する。第２の吸込口８２は第１の吸込口８１に平行する形で、第１の吸込口８１の前方に位置して形設される。第２の吸込口８２の開口面積は第１の吸込口８１の開口面積よりずっと小さい。
【００３８】
第１の吸込口８１及び第２の吸込口８２に対し、それぞれ独立した吸込通路が設けられる。第１の吸込口８１に対する吸込通路８３は中央シェル７１側の下面に形成されている（図４参照）。吸込通路８３は漏斗のような形状を呈し、正面から見て左側に偏った位置に流出口８４が設けられている。
【００３９】
第２の吸込口８２に対する吸込通路８５は吸込通路８３の上に重なるように配置される。吸込通路８５は中央シェル７１の上面側と、それに対し間隔を置いて着脱可能に取り付けられた蓋８６との間に形成される。蓋８６は前端を中央シェル７１に引っ掛け、後端をネジ又はラッチ８６ａで中央シェル７１に連結して取付状態を保つ。蓋８６は透明又は半透明の材料で成型され、吸込通路８５の中の様子を外からのぞくことができるようになっている。吸込通路８５の流出口８７は吸込通路８５の後部中央付近に設けられる。
【００４０】
側部シェル７２の後方突出部７４の内部には吸込口切替装置９０を配置する。吸込口切替装置９０はその弁箱９１の前面に上下２連の流入口９２、９３を有する。下の流入口９２は吸込通路８３の流出口８４に接続される。図４に見られるように流出口８４を流入口９２に直接連結することにより、気流の通路構造が簡単になり、流通効率が向上する。上の流入口９３は図示しないホースを介して吸込通路８５の流出口８７に接続される。
【００４１】
弁箱９１の上面には流入口９２、９３に共通する流出口が設けられるが、第１実施形態の場合、その流出口そのものが第１の通気路３１の始まりとなる接続管７８となっている。
【００４２】
弁箱９１の中には垂直面内で回動する切替弁９５が配置される。切替弁９５は弁軸９６に取り付けられ、弁軸９６の回動に伴って回動する。回動により切替弁９５は流入口９２、９３の一方を選択的に閉ざし、他方を開く。吸込口切替装置９０の詳細な構造は後で説明する。切替弁９５の両面には流入口９２、９３を閉ざしたときの気密性を良くするために軟質ゴム等により成型したシール部材（図示せず）が装着されている。
【００４３】
吸込口体７０の底面には第１及び第２の接地支持部が設けられる。第１の接地支持部１０１は第２の吸込口８２の近傍、この場合には第２の吸込口８２の両端に位置するように設けられた車輪により構成される。
【００４４】
第２の接地支持部１０２は底板８０に形設された左右一対の突起により構成される。第２の接地支持部１０２は第１の吸込口８１の後方に設けられる。この箇所は底板８０の後方部分の傾斜が始まるあたりでもある。集塵装置保持部１２を直立させたときは図４に示すように第２の接地支持部１０２が吸込口体７０の支えとなり、第１の接地支持部１０１は床から浮き上がる。
【００４５】
吸込口体７０の前端からはガイド部１０３が突出する。ガイド部１０３は第２の吸込口８２の前方に位置し、ほぼ吸込口体７０の全幅に等しい幅を有する。ガイド部１０３の下面は第２の吸込口８２に向かって次第に低くなる斜面１０４となる（図５参照）。斜面１０４の前端は先端は第２の吸込口８２の入口より３ｍｍ程度高くなっている。
【００４６】
第１の吸込口８１にはアジテーター１１０が設けられる。アジテーター１１０としては円筒形の回転体の周囲に所定のスキュー角をもって複数条の剛毛の列を植え込んだものを使用するのが一般的であるが、剛毛の列に代え、ゴムや軟質合成樹脂の薄片を装着したものを使用してもよい。アジテーター１１０は軸線が第１の吸込口８１の横幅方向と同様の方向となり、外周部の一部を第１の吸込口８１から外に突出させる形で吸込口体７０の内部に軸支される。
【００４７】
アジテーター１１０の回転動力源となるのは電動送風機１３の駆動軸１５であり、ここから次のような動力伝達機構を経由してアジテーター１１０に動力が伝達される。図２に見られるように駆動軸１５には原動プーリー１１１が固定され、この原動プーリー１１１と、アジテーター１１０の軸にアジテーター１１０と一体回転するよう固定した駆動プーリー（後述）とにベルト１１３が巻き掛けられる。原動プーリー１１１及びベルト１１３は側部シェル７３の内部に位置する。なお、駆動軸１５に別体の原動プーリー１１１を固定するということをしないで、ベルト１１３を駆動軸１５に直接巻き掛けてもよい。
【００４８】
電動送風機１３の運転中にアジテーター１１０の回転を止めることができるよう、アジテーターと独立して回転可能なアイドラーを駆動プーリーと並べて配置する。ベルト１１３がアイドラーに掛かった状態ではアイドラーが空転するのみで、アジテーター１１０には動力が伝わらない。ベルト１１３の掛け替えを行うためのベルト掛替装置１２０が側部シェル７３の内部に設けられるが、その構造は後で詳しく説明する。
【００４９】
次に図６及び図７に基づき吸込口切替装置９０の詳細構造を説明する。吸込口切替装置９０の弁箱９１は左側面が開口しており、この開口を蓋１３１が閉ざす。蓋１３１は弁箱９１にネジ止め固定される。気密を保つため、弁箱９１の開口部の口縁にはシール部材９１ａが貼着されている。
【００５０】
弁軸９６には切替弁９５とレバー１３２とが一体に成形される。成形手法としては弁軸９６、切替弁９５、及びレバー１３２の三者を合成樹脂や金属の射出成型等により一体成型してもよく、あるいは別々に成型したものを組み立てて固定してもよい。
【００５１】
弁軸９６の右端は小径部９６ａとなっていて、この部分は弁箱９１に設けた軸穴（図示せず）から弁箱９１の右側面に突出する。小径部９６ａの左側の部分は弁箱９１の内面に形設した断面半円形の凹部９１ｂと蓋１３１に形設した半円形の切り欠き１３１ａとに挟まれる形で軸支される。つまり凹部９１ｂと切り欠き１３１ａが合わさって１個の軸受部が構成されることになる。なお凹部９１ｂは流入口９２、９３の間にあり、弁箱９１の内部では気流の上流側に位置する。このように気流の上流側に配置するのは弁軸９６に塵埃がからみついて切替弁９５の動きに影響を与えたりしないようにするためである。
【００５２】
弁軸９６が切り欠き１３１ａから出たところにレバー１３２が一体に成形される。レバー１３２は吸込口切替装置９０とベルト掛替装置１２０とを連動させる連動手段の一構成要素となる。このように切替弁９５に加えてレバー１３２まで一体に成形するため、弁軸９６にはエンジニアリングプラスチックグレードの合成樹脂あるいは金属といった所定の強度を備えた材料が使用される。
【００５３】
レバー１３２は弁軸９６から長短２個のアーム１３２ａ、１３２ｂを互いに反対方向に突出させた形状になっている。長い方のアーム１３２ａの先端の方にはスリット１３２ｃが形設されている。スリット１３２ｃの長手方向は長い方のアーム１３２ａの長手方向に一致する。短い方のアーム１３２ｂと蓋１３１との間にはトグルバネ１３３が配置される。
【００５４】
トグルバネ１３３はねじりコイルバネにより構成され、一端を短い方のアーム１３２ｂの先端に、他端を蓋１３１の外面に形設された中空ボス１３１ｂに係合させている。短い方のアーム１３２ｂと中空ボス１３１ｂが最も接近する弁軸９６の角度位置が思案点となり、この点を境にしてトグルバネ１３３は、流入口９２を閉ざす付勢力又は流入口９３を閉ざす付勢力を切替弁９５に与えるものである。
【００５５】
弁軸９６の左端には切替弁９５の切り替え操作を行うためのペダル１３４が装着される（図１参照）。ペダル１３４は吸込口体７０の後方突出部７４の左上角に形設された凹部７４ａに配置される。ペダル１３４は弁軸９６への取付部を中心として前後の部分が互いに角度をなし、側面から見ると「く」の字の形状になっている。ペダル１３４の前後の部分のうち浮き上がった方を踏むことにより、ペダル１３４はシーソーのような動きをして弁軸９６を回動させるものである。
【００５６】
次に図８及び図９に基づきベルト掛替装置１２０の詳細構造を説明する。ベルト掛替装置１２０は細長いフレーム１４１を中心として組み立てられる。フレーム１４１は長手方向を吸込口体７０の前後方向に向けて側部シェル７３の内部に固定される。フレーム１４１の下部をベルト１１３が通る。ベルト１１３は駆動プーリー１１２とアイドラー１１４との間で掛け替えられる。駆動プーリー１１２はアジテーター１１０の軸１１０ａにアジテーター１１０と一体回転するように固定される。アイドラー１１４は駆動プーリー１１２の右隣に位置し、アジテーター１１０と独立して回転可能である。
【００５７】
フレーム１４１は前後方向に延びる支軸１４２を支持する。支軸１４２の軸線はベルト１１３の延長方向と平行である。支軸１４２はベルト１１３を動かすためのフォーク１５０を回動自在に支持する。フォーク１５０は金属製の本体１５１と合成樹脂製の軸支部１５２とを互いに回転不能に組み合わせたものである。フォーク１５０の本体１５１と軸支部１５２とはインサート成型、ネジ止め、カシメ等により固定される。軸支部１５２が合成樹脂製であるため、支軸１４２に対して回転したとき、あまり騒音が発生しない。
【００５８】
フォーク１５０の本体１５１はその長手方向を支軸１４２及びベルト１１３の延長方向に平行させる形で軸支部１５２の前方に延び出している。本体１５１はその先端の１対の平行壁部１５１ａでベルト１１３を挟み付ける。平行壁部１５１ａは本体１５１と平行に延び、且つ互い同士も平行を保っている。平行壁部１５１ａは軸支部１５２から所定距離以上隔たっている。
【００５９】
軸支部１５２の上部にはノブの形をした操作部１５２ａが突設される。操作部１５２ａは吸込口体７０の後方突出部７５に形設した窓７５ａから外に突き出す。操作部１５２ａが窓７５ａの一方の端に設けた当たりに当たるところが軸支部１５２の一方の回動限界、操作部１５２ａが窓７５ａの他方の端に設けた当たりに当たるところが軸支部１５２の他方の回動限界となる。すなわち操作部１５２ａと窓７５ａによりフォーク１５０の回動限界を定めるストッパー手段１５３が構成される。なお窓７５ａのところの当たりについては、操作部１５２ａが側部シェル７３に当たることとしてもよく、あるいはフレーム１４１に当たることとしてもよい。
【００６０】
軸支部１５２とフレーム１４１との間には図示しないトグルバネが配置される。このトグルバネもトグルバネ１３３と同様にねじりコイルバネにより構成され、一端は軸支部１５２に、他端はフレーム１４１に係合し、軸支部１５２の角度変換を歯切れ良く行わせる。
【００６１】
軸支部１５２の左側面からは放射方向にレバー１５４が突出する。フレーム１４１の左側面にはレバー１５５が支軸１５６により垂直面内で回動できるよう支持されている。レバー１５５の一方のアームに設けたスリット１５５ａがレバー１５４に係合する。レバー１５５の他方のアームもスリット１５５ｂを有する。スリット１５５ａ及び１３５ｂの長手方向はレバー１５５自体の延びる方向に一致する。
【００６２】
吸込口切替装置９０とベルト掛替装置１２０とは連動手段１６０で連結される。連動手段１６０の主部をなすのは鋼棒あるいは鋼管を略コの字形に折曲成形したクランク１６１である。クランク１６１は左右一対の軸受部１６２により水平軸まわりに回動できるよう吸込口体７０の内部に軸支される。クランク１６１の一方の端部１６１ａは吸込口切替装置９０の側のレバー１３２のスリット１３２ｃに係合する。クランク１６１の他方の端部１６１ｂはベルト掛替装置１２０の側のレバー１５５のスリット１５５ｂに係合する。レバー１３２と同様、レバー１５５も連動手段１６０の一構成要素となる。
【００６３】
上記のようにコの字の形をした吸込口体７０で掃除機本体１０を挟み、この吸込口体７０の一方の側に吸込口切替装置９０を配置し、他方の側にベルト掛替装置１２０を配置する構成により、吸込口切替装置９０とベルト掛替装置１２０の一定部分を掃除機本体１０の左右に重なるように配置でき、吸込口体７０の寸法、特に前後方向の寸法を切りつめることができる。
【００６４】
次に電気掃除機１の動作を説明する。使用していないとき、すなわち保管時の電気掃除機１は図４に示すように集塵装置保持部１２が直立状態にあり、掃除機本体１０は２個ずつの車輪６４と支持脚６５により床の上に４点支持されている。吸込口体７０においては第２の接地支持部１０２が吸込口体７０の支えとなり、第１の接地支持部１０１は床から浮き上がっている。アジテーター１１０も床には接触していない。
【００６５】
電気掃除機１を使用するときは、図示しないコードを伸ばして電源コンセントに接続し、片手でハンドル６２を持って図１２のように集塵装置保持部１２を傾け、清掃作業態勢へと姿勢変換する。すると掃除機本体１０がてこのように作用する。すなわちハンドル６２がてこの力点、車輪６４がてこの支点、支軸１４及び駆動軸１５（駆動軸１５の外側の筒状の支軸）がてこの作用点となり、支軸１４及び駆動軸１５（駆動軸１５の外側の筒状の支軸）が吸込口体７０の後部を持ち上げる。支持脚６５は床から離れる。
【００６６】
ハンドル６２の高さが床から６０〜８０ｃｍ程度になるまで掃除機本体１０を傾けると、第２の接地支持部１０２が床から離れ、第１の吸込口８１及び第２の吸込口８２を有する底板８０の前方部分が床とほぼ平行になる。そして第１の接地支持部１０１及びアジテーター１１０が床に接触する（図５参照）。６０〜８０ｃｍというのは平均的な体格の成人が清掃作業のため電気掃除機１を押したり引いたりするときのハンドル６２の高さである。
【００６７】
この状態で第２の吸込口８２の入口の床からの高さ（図５のＨ１）が０．８〜２ｍｍになるように第１の接地支持部１０１の突出度を調節して設定する。第２の吸込口８２はこの距離（０．８〜２ｍｍ）までは床に接近するが、ここで第１の接地支持部１０１が床に当たり、それ以上には接近しない。
【００６８】
ここで操作パネル部６１の所定のスイッチを操作し、電動送風機１３を駆動する。電動送風機１３は吸入口１３ａより第２の通気路３２、集塵装置２０、第１の通気路３１を通じて吸込口体７０に吸引力を及ぼす。
【００６９】
吸込口切替装置９０が第１の吸込口８１を選択した状態になっていれば第１の吸込口８１から気流が吸い込まれる。吸込口切替装置９０が第２の吸込口８２を選択した状態になっていれば第２の吸込口８２から気流が吸い込まれる。第１の吸込口８１を選択した状態ではベルト掛替装置１２０がベルト１１３が駆動プーリー１１２に掛ける。従って電動送風機１３の駆動によりアジテーター１１０が駆動される。
【００７０】
以下、吸込口切替装置９０により第１の吸込口８１が選択されたものとして説明を進める。回転するアジテーター１１０は床又は床に敷かれた敷物から塵埃をかき上げる。軟質の床材（例えば毛足の長さが４〜２０ｍｍのカーペット）の上でアジテーター１１０を回転させるときは第１の接地支持部１０１が軟質床材に沈み込む。このためアジテーター１１０や第１の吸込口８１が軟質床材に近づき、塵埃のかき出しや吸引が力強く行われる。第１の接地支持部１０１の正面から見た幅に制限を加えておけば（例えば第１の接地支持部１０１の合計の正面幅を第１の吸込口８１の幅の半分以下とする、あるいは接地支持部１０１の各々の幅を１０〜２０ｍｍとする）、第１の接地支持部１０１の軟質床材への沈み込みは確実なものになる。
【００７１】
上記のように、カーペットの上では第１の接地支持部１０１がカーペットの毛足の中に沈み込み、底板８０の前方部分が吸込口体７０を支持する。そのため、カーペットの上での操作性は確保される。アジテーター１１０の外周と第１の吸込口８１の後縁との間隔（図５のＧ１）を５〜１０ｍｍにしておくと操作性と吸込性能が両立する。
【００７２】
また床からガイド部１０３の先端までの高さ（図５のＨ２）は床から第２の吸込口８２の入口までの高さ（図５のＨ１）より３ｍｍ程度（３〜４．５ｍｍ程度でよい）高くなっているので、底板８０の前方部分がカーペットに当たった状態でもカーペットの上の塵埃を排除しない。米粒大のごみであればその上をガイド部１０３が乗り越え、第１の吸込口８１に誘い込む。ごみの乗り越え性能を確保するため、斜面１０４の傾斜は水平面に対し４０〜５０゜を超えないようにするのがよい。
【００７３】
アジテーター１１０のかき上げた塵埃は第１の吸込口８１から流入する気流とともに吸込口切替装置９０の流入口９２に入り、吸込口切替装置９０の中から接続管７８を通って第１の通気路３１に入る。第１の通気路３１を通り抜けた気流は集塵装置２０の流入口２５から遠心分離室２３に入る。
【００７４】
流入口２５から流入した気流は排気筒２６の周囲を高速で旋回する。気流中の塵埃は遠心力で気流から分離され、ダストカップ２１の底に溜まる。塵埃を分離した旋回気流は排気筒２６に吸い込まれ、排気室２４に抜ける。遠心分離されなかった塵埃はフィルター２８で濾過される。排気室２４に抜けた気流は流出口３０より流出する。
【００７５】
遠心分離室２３の中で旋回する気流は、排気筒２６の周囲ばかりでなく、スタビライザー２９の周囲も旋回する。その際気流がスタビライザー２９の翼片に衝突すると気流中の塵埃が気流から離れてダストカップ２１の底に落ちる。塵埃の吸引を続けるとダストカップ２１の底の方から塵埃の塊が成長するが、スタビライザー２９はこの塵埃塊の動きを抑制し、塵埃が再び舞い上がるのを防ぐ。
【００７６】
集塵装置２０を出た気流は第２の通気路３２に入る。第２の通気路３２は電動送風機１３の吸入口１３ａまで略同一平面でつながっており、気流は何にも遮られたり邪魔されたりすることなく吸入口１３ａに直進する。集塵装置保持部１２の中空部自体が第２の通気路３２を構成しているため、大面積の通気路とすることができ、この点でも気流の流通効率が向上する。
【００７７】
電動送風機１３に吸い込まれた気流は排気空間５０に吐出され、台座部１６に入る。フィルター２８で濾過されなかった細かな塵埃はフィルター５１で濾過される。その後、気流は排気口５４から排出される。
【００７８】
電動送風機１３が駆動されている間、ベルト１１３が走行する。走行するベルト１１３がフォーク１５０に接触するのを全く防ぐことはできない。しかしながらベルト１１３が接触するのは金属製の本体１５１の平行壁部１５１ａである。そのため本体１５１は、摩擦熱で温度上昇することは避けられないが、合成樹脂成型品と異なり、過熱して損傷することはない。摩耗にも強い。また平行壁部１５１ａは軸支部１５２から所定距離以上隔たっているので、平行壁部１５１ａと軸支部１５２の間に位置する本体１５１の部分で放熱が行われ、合成樹脂成型品である軸支部１５２に平行壁部１５１ａから過度の摩擦熱が伝わることはない。
【００７９】
部屋の隅を掃除するときにはペダル１３４を操作して吸込口切替装置９０を第２の吸込口８２の方に切り替える。すなわち今まで切替弁９５が流入口９２を開き、流入口９３を閉ざしていたのを流入口９３が開き、流入口９２が閉ざされるようにする。この時弁軸９６は図８において反時計方向（矢印Ａ方向）に回動する。するとレバー１３２がクランク１６１の端部１６１ａを持ち上げ、クランク１６１全体が軸受部１６２の中で時計方向（矢印Ｂ方向）に回動する。この動きに伴い、クランク１６１の他の端部１６１ｂがレバー１５５の前部を持ち上げる。レバー１５５の後部は逆に下がり、レバー１５４を押し下げる。これにより、フォーク１５０は支軸１４２の軸線まわりに回動する。回動方向は正面から見て反時計方向（矢印Ｃ方向）である。
【００８０】
フォーク１５０が正面から見て反時計方向に回動すると、平行壁部１５１ａは支軸１２１の中心からの距離を半径とする弧を描いて左から右へと移動する。この動きに伴いベルト１１３は駆動プーリー１１２からアイドラー１１４へと掛け替えられる。フォーク１５０はベルト１１３の延長方向と平行な軸線まわりに回動するものであり、先端の平行壁部１５１ａのところで振れが増幅される機構ではないため、ベルト１１３の移動は常に安定している。またストッパー手段１５３によりフォーク１５０の回動限界が定まるのでベルト１１３は所定の位置にきちんと位置決めされる。
【００８１】
また軸支部１５２をどれだけ回動させても平行壁部１５１ａはベルト１１３の延長方向と平行を保つ。そのため、ベルト１１３の変形（ひねり、こじり）が少ない。これは平行壁部１５１ａにとってもベルト１１３にとってもダメージが少ないということを意味する。
【００８２】
電動送風機１３が停止し、駆動軸１５が回転していない状態では掛け替えは完全なものではないが、ひとたび電動送風機１３の駆動が開始されればベルト１１３はアイドラー１１４に完全に乗り移る。ベルト１１３をアイドラー１１４から駆動プーリー１１２に掛け替えるときにも同じことが言える。
【００８３】
第１の吸込口８１から第２の吸込口８２に切り替えるのは操作部１５２ａの操作によっても可能である。すなわち第１の吸込口８１を使用する状態では操作部１５２ａは窓７５ａの右端に位置している。操作部１５２ａを窓７５ａの左端に移動させるとフォーク１５０が正面から見て反時計方向に回動し、ベルト１１３を駆動プーリー１１２からアイドラー１１４に掛け替える。同時にレバー１５４が下がり、レバー１５５の後部を押し下げる。レバー１５５の前部は上がり、クランク１６１の端部１６１ｂを持ち上げる。クランク１６１全体が軸受部１６２の中で矢印Ｂの反対方向に回動し、クランク１６１の他の端部１６１ａがレバー１３２の長い方のアームを持ち上げる。これにより弁軸９６が矢印Ａの反対方向に回動し、切替弁９５は流入口９３を開き、流入口９２を閉ざす位置へと移動する。
【００８４】
第２の吸込口２を用いて吸塵を行う場合、硬質の床の上では第１の接地支持部１０１が第２の吸込口８２の入口と床との間隔を安定して所定の値（０．８〜２ｍｍ）に保つ。そのため第２の吸込口８２と床との間に塵埃の通り道が確保される。第２の吸込口８２は第１の吸込口８１に比べ開口面積が小さく、狭い箇所に吸引力が集中する。従って第２の吸込口８２の入口には高速の吸込気流が発生し、アジテーターの回転を伴う吸込方式より強力な吸引力が塵埃に及ぼされる。０．８〜２ｍｍという隙間にすることにより、砂塵やパウダー状の塵を効率良く吸い込むことができる。
【００８５】
第２の吸込口８２を使用するとき、吸い込んだ気流は透明又は半透明の蓋８６の下を通る。従って、塵埃の吸込状況を直接目視で確認することができる。第２の吸込通路８５にごみが詰まった場合には蓋８６を取り外して詰まりの原因となっているごみを取り除くことができる。
【００８６】
塵埃の吸い込みに使用できるのは第１の吸込口８１と第２の吸込口８２だけではない。フレキシブルホース３３も利用できる。フレキシブルホース３３を接続管７８から抜き、フレキシブルホース３３の先端に隙間ノズルや家具用ブラシといった吸込ツールを取り付ければ、吸込口体７０を届かせにくい狭い場所や高い場所の掃除を行うことができる。
【００８７】
清掃作業が済んだら電気掃除機１を不使用時の保管場所まで運び、掃除機本体１０に保管時の姿勢をとらせる。すなわち集塵装置保持部１２を直立させる。すると吸込口体７０の後部が下がり、第２の接地支持部１０２が床に当たって吸込口体７０の支えとなり、第１の接地支持部１０１は床から浮き上がる。アジテーター１１０の外周も床から浮き上がる。従って、この時点でまだ電動送風機１３が駆動中であったとしても、アジテーター１１０が床をこすることがなく、床を傷つけない。
【００８８】
集塵装置保持部１２を直立させているかぎり、アジテーター１１０の外周は床に触れない。従って長時間そのままで置いたとしてもアジテーター１１０に植えた剛毛（あるいは、ゴムや軟質合成樹脂の薄片）が変形することはない。
【００８９】
集塵装置２０に大量の塵埃が蓄積されたらラッチ４３を外して集塵装置２０を引き抜き、内部の塵埃を捨てる。必要があればフィルター２８も掃除する。それから集塵装置２０を元通りにセットする。ダストカップ２１を透明又は半透明の材料で成型することとすれば、塵埃の蓄積具合を確認しやすい。
【００９０】
第２の吸込口８２、及び吸込通路８５の幅を極限まで広げてもよい。すなわち吸込口体７０の左右側壁の肉厚しか残らないところまで第２の吸込口８２と吸込通路８５（その入口部）の幅を広げるのである。吸込口体７０の強度は少し低下するが、第２の吸込口８２の吸い込み幅が広くなり、さらなる吸込力の向上につながる。
【００９１】
図１０は、本実施形態における別の例に係る吸込口本体２０１の前方中央を切断して側面から見た断面図である。また図１１は、吸込口本体２０１を上方から見た図であり、別吸込口２０２の状態をわかりやすくするため、蓋２０３を取り外した状態で描いている。これらの図に示すように、吸込口２０４の前方にある別吸込口２０２の周辺両側方に、支持体であるローラ２０５が設けられている。
【００９２】
ローラ２０５は、その軸支部であるローラ軸２０６にて、吸込口本体２０１の裏蓋２０７に、回転自在に取り付けられている。また、２０８は回転ブラシ、２０９は仕切壁、２１０は下記通路の奥側に位置する集中口である。仕切壁２０９は、別吸込口２０２より延びる別吸込口通路２１１と、吸込口２０４より延びる吸込口通路２１４とを仕切るものである。なお、吸込口本体２０１の前面から左右側面にかけて、例えば軟質合成樹脂よりなるバンパー２１６が装着してある。また、ここでは図示しないが、吸込口本体２０１の内部には、吸込口を切り替え使用する上述した吸込口切替装置９０の類のものが配置されている。
【００９３】
さらに、吸込口本体２０１の左右方向中央部には、別吸込口通路２１１の厚み方向の距離を左右両側より小さくするため、厚めの仕切壁２１２が設けられている。これにより、別吸込口通路２１１の中央部にある別吸込口通路２１１ａよりも、前方の左右両側から集中口２１０につながる別吸込口通路２１１ｂの方が、厚み方向の空間距離が大きくなっている。
【００９４】
そのため、通風量の割合は、別吸込口通路２１１ｂの方が別吸込口通路２１１ａよりも大きくなり、別吸込口２０２の巾を吸込口本体２０１の巾より小さくしても、前方の左右両側の吸込力が大きくなって、さらには吸込口本体２０１の巾全体で確実に吸い込みを行うことが可能となる。そして、吸込口本体２０１の残りの巾の部分を、補強部分２１３とすることができるため、吸込性能を維持しつつ衝撃強度の大きい吸込口本体２０１が得られる。
【００９５】
なお、補強部分２１３は、平箱状の中央シェル７１の左右に設けた側部シェル７２，７３前方の部分である。また、側部シェル７２，７３の後部は中央シェル７１よりも後方に突き出し、後方突出部７４，７５を形成している。吸込口本体２０１は全体としてコの字形の平面形状を有し、後方突出部７４，７５の間に掃除機本体１０を受け入れる。
【００９６】
また、吸込口通路２１４側の仕切壁面２１５は、左右方向について直線状態であるため、吸込口通路２１４の通風状態を、別吸込口通路２１１の厚み方向の変化に関係なく設定することができる。これにより、吸込口２０４および別吸込口２０２の使用目的を、例えば床用，カーペット用等、自在に設定できるようになり、各々の吸込口が吸込目的に合っている吸込口本体２０１を容易に得ることができる。加えて、吸込口本体２０１の別吸込口通路２１１側外観を、単一肉厚であっても凹凸のない滑らかな表面にすることができ、デザイン的に安定感のある吸込口本体２０１となる。
【００９７】
さらに、別吸込口通路２１１ａ，２１１ｂは、別吸込口２０２側よりも集中口２１０側の方が、厚み方向で大きいか或いは同じであるように設定されているため、別吸込口通路２１１でのゴミ詰まりの可能性が少なくなる。しかも、通路の厚み方向の距離を異ならせることにより通風量を調整するため、通路は連通した一つの空間となり、障害物もないので、ロスの少ない通風量調節が可能となり、更に吸込性能の向上を図ることができる。
【００９８】
なお、通路の厚み方向の空間距離が変化する部分は、垂直面等にするのではなく、傾斜面となるように、徐々に変化をつけるようにしておくと、更に調節ロスの少ないものとなり、また渦流の少ない空気流となるので、更に低騒音の掃除機となる。また、別吸込口２０２や別吸込口通路２１１の厚み方向の最小空間距離を例えば６ｍｍ以上としておくと、シュレッダーによる紙の切り屑が詰まりにくいものとなる。
【００９９】
さらに、上述したように、吸込口通路２１４の前方から上方を通る通路である別吸込口通路２１１に、別吸込口２０２の所定の位置に於ける通風量を調節する調節手段（ここでは仕切壁２１２）を設けたため、通路の長い領域でも無理なく徐々にその通風量を調節することができ、ロスの少ない通風量調節が可能となり、更に吸込性能の向上を図ることができる。但し、このような調節手段は、別吸込口通路２１１に限定するものではなく、吸込口通路２１４さらには両方に設けた構成としても良い。
【０１００】
また、上記は、仕切壁２１２側で別吸込口通路２１１の通風量調節を行ったが、蓋２０３側から通路の厚み方向の空間距離を調節することにより、通風量調節を行っても良い。しかしこの場合、蓋２０３の外側の外観部を凹凸のない形状にするため、蓋２０３の別吸込口通路２１１側のみを突き出させて厚肉にすると、蓋２０３の重さが増すとともに、蓋２０３を透明にして通路内の塵の流れ具合を見ることが行いにくくなり、着脱性や機能性の低下が伴うこととなる。さらに、仕切壁２１２側と蓋２０３側の各々での組み合わせによる通風量調節も可能である。
【０１０１】
なお、前記通風量を調節する調節手段は、該当する通路の厚み方向の空間距離を、所定の位置で異ならせる方式について説明したが、これに限定されるものではない。例えば、前記調節手段より通風抵抗が少し増加するが、該当する通路に通風量を調節するための案内板を通風経路に合わせて設けたり、吸込口の中央側で所定の位置の開口部を１０ｍｍ程度封鎖する等しても良い。前者の具体例としては、図１１の別吸込口通路２１１ａと別吸込口通路２１１ｂの境の一部に、その境に沿った案内板を、別吸込口通路２１１に設けることが挙げられる。
【０１０２】
また、これまで述べてきた実施形態において、吸込口２０４は第１の吸込口８１に相当しており、別吸込口２０２は第２の吸込口８２に相当している。さらに、吸込口通路２１４は吸込通路８３に、別吸込口通路２１１は吸込通路８５に、集中口２１０は流出口８７に、回転ブラシ２０８はアジテーター１１０に、それぞれ相当している。
【０１０３】
【発明の効果】
以上説明したように、本発明によれば、吸込口体に複数の吸込口を設け、それら各々の吸込口を、複数の床面での各々の掃除に応じて、選択使用できるようにした電気掃除機を提供することができる。
【０１０４】
具体的には、吸込口を複数個設けることにより、異なる用途に応じた吸込特性を、一つの吸込口本体に設定することができるとともに、吸込口の所定の位置に於ける通風量を調節する調節手段を通路に設けたことにより、その通路に通じる吸込口の各位置での風速を均一にすることができ、むらのない吸い込みが可能となり、吸込性能が向上する。
【０１０５】
また、左右両端の風量を増加させるように設定すると、吸込口を吸込口本体の左右両端まで設けることができない場合であっても、吸込口本体の左右両端の領域まで、塵を吸い込むことができるようになり、吸込口本体の吸込性能が向上する。
【０１０６】
また、吸込口通路の前方から上方を通る別吸込口通路に、別吸込口の所定の位置に於ける通風量を調節する調節手段を設けたため、通路の長い領域で無理なく徐々にその通風量を調節することができ、ロスの少ない通風量調節となり、吸込性能の向上を図ることができる。
【０１０７】
また、比較的に通風過程を長く設定できる吸込口通路や別吸込口通路で、通風量が調節できるとともに、通路の厚み方向の距離を所定の位置で異ならせて通風量を調節するため、通路は連通した一つの空間となり、障害物もないので、ロスの少ない通風量調節となり、更に吸込性能の向上を図ることができる。
【０１０８】
また、吸込口本体の両側の通風量が増加して、吸込口を吸込口本体の巾より少ない巾に設定することができ、吸込口本体の残りの巾の部分を補強部分とすることができるので、衝撃強度のある吸込口本体が得られる。
【０１０９】
また、吸込口通路側の仕切壁面は左右方向について直線状態であるため、吸込口通路の通風状態を別吸込口通路の変化に関係なく設定することができる。これにより、吸込口および別吸込口の使用目的を自在に設定できるため、各々の吸込口が吸込目的に合っている吸込口本体が容易に得られる。加えて、吸込口本体の別吸込口通路側外観を、凹凸のない滑らかな表面にすることができ、デザイン的に安定感のある吸込口本体が得られる。
【０１１０】
また、吸込口通路の吸込口側と異なる側（奥側）に集中口を設け、吸込口側よりも集中口側の方が通路の厚み方向で大きいか或いは同じであるようにすることにより、各々の吸込口通路でのゴミ詰まりの少ない吸込口本体が得られる。
【図面の簡単な説明】
【図１】本発明の第１実施形態に係る電気掃除機の斜視図。
【図２】上記電気掃除機の垂直断面図。
【図３】上記電気掃除機の掃除機本体の部分水平断面図。
【図４】上記電気掃除機の側面図にして、吸込口体の部分を断面したもの。
【図５】図４と異なる状況における吸込口体の部分拡大断面図。
【図６】吸込口切替装置の斜視図。
【図７】吸込口切替装置の分解斜視図。
【図８】吸込口体の内部機構の斜視図。
【図９】同じく吸込口体の内部機構の一部の斜視図にして、図８と異なる方向から見たもの。
【図１０】吸込口本体の前方中央を切断して側面から見た断面図。
【図１１】吸込口本体を上方から見た図。
【図１２】上記電気掃除機の使用状態を示す側面図にして、吸込口体の部分を断面したもの。
【符号の説明】
１    電気掃除機
１０    掃除機本体
１１    送風機ハウジング
１２    集塵装置保持部
１３    電動送風機
１４    支軸
１５    駆動軸
２０    集塵装置
６２    ハンドル
６４    車輪
７０    吸込口体
７１    中央シェル
７２，７３    側部シェル
７４，７５    後方突出部
８１    第１の吸込口
８２    第２の吸込口
９０    吸込口切替装置
９５    切替弁
９６    弁軸
１１０    アジテーター
１１１    原動プーリー
１１２    駆動プーリー
１１３    ベルト
１１４    アイドラー
１２０    ベルト掛替装置
１３２    レバー
１６０    連動手段
２０１    吸込口本体
２０２    別吸込口
２０３    蓋
２０４    吸込口
２０５    ローラ
２０６    ローラ軸
２０７    裏蓋
２０８    回転ブラシ
２０９    仕切壁
２１０    集中口
２１１    別吸込口通路
２１２    仕切壁
２１３    補強部分
２１４    吸込口通路
２１５    仕切壁面
２１６    バンパー
【図１】
2004173759.tif 000003
【図２】
2004173759.tif 000004
【図３】
2004173759.tif 000005
【図４】
2004173759.tif 000006
【図５】
2004173759.tif 000007
【図６】
2004173759.tif 000008
【図７】
2004173759.tif 000009
【図８】
2004173759.tif 000010
【図９】
2004173759.tif 000011
【図１０】
2004173759.tif 000012
【図１１】
2004173759.tif 000013
【図１２】
2004173759.tif 000014